(57)【要約】【課題】  様々なＨＤＲ表示性能の表示装置でＨＤＲ映像コンテンツがどのように表示されるのかを映像制作者が確認することが容易に行えない場合があった。【解決手段】  ユーザーの操作に基づきＨＤＲ表示モードを設定する手段と、送信装置より入力された映像信号のＨＤＲに関するメタデータと、表示装置のＨＤＲに関する表示性能情報との基づき、ユーザーによって設定されたＨＤＲ表示モードを実行できるか否かを判定する手段と、設定されたＨＤＲ表示モードに応じて前記表示装置のＨＤＲに関する表示性能情報を生成する手段と、前記表示装置のＨＤＲに関する表示性能情報を反映した映像パラメータを生成する手段と、生成されたＨＤＲに関する表示性能情報にあらかじめ保持している表示装置のＨＤＲに関する表示性能情報を変更する手段と、変更された表示装置のＨＤＲに関する表示性能情報を送信装置に出力する手段を有することを特徴とする表示装置。【選択図】  図２
2018141936.tif 000002
【特許請求の範囲】
【請求項１】
送信装置より入力された映像信号を表示する表示装置であり、
ユーザーの操作に基づきＨＤＲ表示モードを設定する手段と、
前記送信装置より入力された映像信号のＨＤＲに関するメタデータと、前記表示装置のＨＤＲに関する表示性能情報との基づき、ユーザーによって設定されたＨＤＲ表示モードを実行できるか否かを判定する手段と、
設定されたＨＤＲ表示モードに応じて前記表示装置のＨＤＲに関する表示性能情報を生成する手段と、
前記表示装置のＨＤＲに関する表示性能情報を反映した映像パラメータを生成する手段と、
生成されたＨＤＲに関する表示性能情報にあらかじめ保持している表示装置のＨＤＲに関する表示性能情報を変更する手段と、
変更された表示装置のＨＤＲに関する表示性能情報を送信装置に出力する手段
を有することを特徴とする表示装置。
【請求項２】
映像信号のＨＤＲに関するメタデータは、最大輝度レベルと平均フレーム輝度レベルを含むことを特徴とする請求項１に記載の表示装置。
【請求項３】
表示装置のＨＤＲに関する表示性能情報は、最大輝度レベルと平均フレーム輝度レベルを含むことを特徴とする請求項１に記載の表示装置。
【請求項４】
ＨＤＲ表示モードは、ＨＤＲ映像の表示輝度範囲の全体を前記表示装置の表示輝度範囲に収まるように輝度を圧縮して表示するモードと、ＨＤＲ映像の表示輝度範囲の一部を切り出して前記表示装置の表示輝度範囲に収まるように圧縮して表示するモードの少なくともどちらかを含むことを特徴とする請求項１に記載の表示装置。
【請求項５】
変更した表示装置のＨＤＲに関する表示性能を送信装置に出力するのは、送信装置と表示装置をつなぐＨＤＭＩケーブルのＨＰＤ信号が検知された時であることを特徴とする請求項１に記載の表示装置。
【請求項６】
送信装置と表示装置をつなぐＨＤＭＩケーブルのＨＰＤ信号の制御を、ＨＤＭＩケーブルの挿抜なしで制御する手段を有することを特徴とする請求項１乃至請求項５のいずれか１項に記載の表示装置。
【請求項７】
送信装置より入力された映像信号を表示する表示装置の制御方法であり、
ユーザーの操作に基づきＨＤＲ表示モードを設定するステップと、
前記送信装置より入力された映像信号のＨＤＲに関するメタデータと、前記表示装置のＨＤＲに関する表示性能情報との基づき、ユーザーによって設定されたＨＤＲ表示モードを実行できるか否かを判定するステップと、
設定されたＨＤＲ表示モードに応じて前記表示装置のＨＤＲに関する表示性能情報を生成するステップと、
前記表示装置のＨＤＲに関する表示性能情報を反映した映像パラメータを生成するステップと、
生成されたＨＤＲに関する表示性能情報にあらかじめ保持している表示装置のＨＤＲに関する表示性能情報を変更するステップと、
変更された表示装置のＨＤＲに関する表示性能情報を送信装置に出力する手段
を有することを特徴とする表示装置の制御方法。
【請求項８】
コンピュータを、請求項１乃至６のいずれか１項に記載の表示装置の各手段として機能させるための、コンピュータが読み取り可能なプログラム。
【発明の詳細な説明】
【技術分野】
【０００１】
本発明は、ＨＤＲ（Ｈｉｇｈ  Ｄｙｎａｍｉｃ  Ｒａｎｇｅ）映像を表示することができる表示装置に関するものである。
【背景技術】
【０００２】
バックライト輝度の向上やローカルディミングの適用による暗部の低輝度化により、ダイナミックレンジを拡大し、高臨場感の映像を表示できるディスプレイの普及が見込まれている。
【０００３】
ＨＤＲ映像を記録、伝送する技術の一つにＨＤＲ１０がある。ＨＤＲ１０は人間の眼が感じる明るさ変化に応じて、リニアに信号記録できるように規定されたＨＤＲ記録の基準であり、Ｕｌｔｒａ  ＨＤ  Ｂｌｕ−ｒａｙ（登録商標）  Ｄｉｓｃ（ＵＨＤ  ＢＤ）に採用されている。
【０００４】
ＨＤＲ１０ではＨＤＲで記録した映像を再生するためのメタデータとして、Ｍａｘｉｍｕｍ  Ｃｏｎｔｅｎｔ  Ｌｉｇｈｔ  Ｌｅｖｅｌ（ＭａｘＣＬＬ）を定義している。更にＭａｘｉｍｕｍ  Ｆｒａｍｅ  Ａｖｅｒａｇｅ  Ｌｉｇｈｔ  Ｌｅｖｅｌ（ＭａｘＦＡＬＬ）を定義している。ＨＤＭＩ（登録商標）２．０ａにおいても、これらのメタデータはサポートされている。
【０００５】
ＭａｘＣＬＬはＨＤＲ映像コンテンツの最大輝度レベルであり、ＭａｘＦＡＬＬはＨＤＲ映像コンテンツの各フレームでの平均輝度レベル（平均フレーム輝度レベル）である。
【０００６】
これらのメタデータは、映像表示装置の解像度や色深度などの表示性能を示す情報と共に映像表示装置のＨＤＲ映像の表示性能を示す情報として、ＥＤＩＤ（Ｅｘｔｅｎｄｅｄ  Ｄｉｓｐｌａｙ  Ｉｄｅｎｔｉｆｉｃａｔｉｏｎ  Ｄａｔａ）に含まれる。これらの情報は、映像表示装置の不揮発メモリなどに記憶されている。
【０００７】
このＥＤＩＤの情報は、映像表示装置と映像送信装置がＨＤＭＩ（登録商標）で接続された際に映像表示装置から映像送信装置に出力するＨＰＤ（Ｈｏｔ  Ｐｌｕｇ  Ｄｅｔｅｃｔ）信号をトリガに映像送信装置から映像表示装置に要求される。これらの情報は、映像表示装置が映像送信装置に出力する情報である。
【０００８】
映像制作で使用するＨＤＲ映像表示システムにおいて、映像送信装置は、接続された映像表示装置のＥＤＩＤに記憶されたＭａｘＣＬＬ，  ＭａｘＦＡＬＬを含む表示性能情報を受け取る。そして、その映像表示装置の表示性能で可能なＭａｘＣＬＬ，  ＭａｘＦＡＬＬのＨＤＲ映像を出力する。これは様々なＨＤＲ映像の表示性能をもつ映像表示装置で映像制作者の意図通りのＨＤＲ映像を表示可能にするためである。
【０００９】
映像制作において映像制作者は、ＨＤＲ映像コンテンツが映像表示装置のＨＤＲ映像の表示性能の違いにより、どのように表示されるのか確認する。そして、意図通りのＨＤＲ映像を表示できるようＨＤＲ映像コンテンツに付加するＭａｘＣＬＬ，  ＭａｘＦＡＬＬを調整する。
【００１０】
ＥＤＩＤに記憶されている情報を、映像表示装置へのユーザー設定に基づいて書き換えた後、映像送信装置にその書き換えたＥＤＩＤの情報を反映する技術が開示されている。
【００１１】
このような技術としては、ユーザーが映像表示装置にコマンドを入力すると、映像表示装置がＥＤＩＤの初期読み出しデータを他の表示設定データに書き換え、映像送信装置に書き換えた表示設定データを反映するものであった（例えば、特許文献１参照）。
【先行技術文献】
【特許文献】
【００１２】
【特許文献１】特開２００８−１５８２２０号公報
【発明の概要】
【発明が解決しようとする課題】
【００１３】
従来の技術では、映像制作者の確認したいＨＤＲ表示に映像表示装置の設定を変更することが容易ではない。映像制作者の確認したいＨＤＲ表示を映像表示装置で実現するために、映像制作者が、映像表示装置のＥＤＩＤに記憶したＭａｘＣＬＬ，ＭａｘＦＡＬＬを含む表示性能情報を書き換えなければならないためである。したがって、様々なＨＤＲ表示性能の映像表示装置で、ＨＤＲ映像コンテンツがどのように表示されるのかを映像制作者は容易に確認できない。
【００１４】
また、映像制作段階において、ＨＤＲ映像コンテンツに付加するＭａｘＣＬＬ，ＭａｘＦＡＬＬを調整するためには、映像制作者が様々なＨＤＲ表示性能の映像表示装置に取り換えて、映像を表示してみることが必要になる。これは映像確認の際に生じる装置交換の手間が多くなり、作業時間がかかることになる。
【００１５】
そこで本発明は、映像制作者が映像表示装置に対して、確認したいＨＤＲ表示モードを設定すれば、その設定に応じた所望のＨＤＲ映像を表示することが可能な映像表示装置を提供することを目的とする。
【課題を解決するための手段】
【００１６】
上述の目的を達成するために、本発明の表示装置は、送信装置より入力された映像信号を表示する表示装置であり、ユーザーの操作に基づきＨＤＲ表示モードを設定する手段と、前記送信装置より入力された映像信号のＨＤＲに関するメタデータと、前記表示装置のＨＤＲに関する表示性能情報との基づき、ユーザーによって設定されたＨＤＲ表示モードを実行できるか否かを判定する手段と、設定されたＨＤＲ表示モードに応じて前記表示装置のＨＤＲに関する表示性能情報を生成する手段と、前記表示装置のＨＤＲに関する表示性能情報を反映した映像パラメータを生成する手段と、生成されたＨＤＲに関する表示性能情報にあらかじめ保持している表示装置のＨＤＲに関する表示性能情報を変更する手段と、変更された表示装置のＨＤＲに関する表示性能情報を送信装置に出力する手段を有することを特徴とする。
【発明の効果】
【００１７】
本発明によれば、映像表示装置は、映像制作者が映像表示装置のＨＤＲ表示モードを設定又は変更すれば、様々なＨＤＲ表示モードに対応したＨＤＲ映像を表示できる。
【図面の簡単な説明】
【００１８】
【図１】本発明を実現する映像表示システムの構成を示した一例である。
【図２】本発明を実現するＨＤＲ映像確認用のリファレンスディスプレイ１００の構成を示したブロック図の一例である。
【図３】映像制作者がリファレンスディスプレイ１００に設定することが可能なＨＤＲ映像の表示モードの一例である圧縮モードとクリップモードを説明した図である。
【図４】本発明を実現するフローチャートの一例である。
【発明を実施するための形態】
【００１９】
以下、本発明の実施形態を説明する。
【００２０】
［第一の実施形態］
本実施形態では、映像制作において、映像制作者が、ＨＤＲ１０のメタデータを持つＨＤＲ映像について、ディスプレイのＨＤＲ表示性能、特に表示可能なＭａｘＣＬＬ，ＭａｘＦＡＬＬの違いにより、どのように表示されるのかを確認する。そして、映像制作者の意図する映像が様々なＨＤＲ表示性能のディスプレイで表示されるように、映像制作者がＨＤＲ映像に付加するＨＤＲ１０のメタデータであるＭａｘＣＬＬ，ＭａｘＦＡＬＬを調整し変更する。
【００２１】
ただし、本発明は実施例に示したＨＤＲ１０のメタデータに限定されるものではなく、ディスプレイのＨＤＲ表示性能に関するメタデータ、情報であってもよく、本発明の趣旨を逸脱することない構成により実施できればよい。
【００２２】
図１は本発明を実現する映像表示システムの構成を示した一例である。
【００２３】
図１の映像表示システムでは、ＨＤＲ映像確認用のリファレンスディスプレイ１００とＨＤＲ映像再生・編集装置２００がＨＤＭＩ（登録商標）２．０ａ対応ケーブルで接続される。そして、ＨＤＲ映像再生・編集装置２００で再生したＨＤＲ映像がリファレンスディスプレイ１００に表示される。
【００２４】
映像制作で使用するＨＤＲ映像確認用のリファレンスディスプレイ１００は、ＨＤＲ１０のガイドラインで規定された最大輝度１，０００［ｎｉｔ］以上の表示性能を持っており、様々なＨＤＲ映像を映像制作者の意図通りに表示することが可能なものである。
【００２５】
ＨＤＲ映像再生・編集装置２００はＬＡＮ経由でＨＤＲ映像を保存してあるメディアサーバー（番号なし）と接続され、ＨＤＲ映像を再生、保存することが可能である。メディアサーバーに保存されているＨＤＲ映像はＨＤＲ１０の仕様に則ったメタデータを持っている。ここで、ＨＤＲ映像再生・編集装置２００とメディアサーバーの接続形態は映像とメタデータをやりとりできる形態であればよく、ＬＡＮに限定されるものではない。
【００２６】
図２は本発明を実現するＨＤＲ映像確認用のリファレンスディスプレイ１００の構成を示したブロック図の一例である。
【００２７】
図２を用いて、映像制作者が、リファレンスディスプレイ１００を用いて、ＨＤＲ１０のメタデータとしてＭａｘＣＬＬ，ＭａｘＦＡＬＬを持つＨＤＲ映像を表示し、ＨＤＲ映像に付加するＭａｘＣＬＬ，ＭａｘＦＡＬＬを調整するために必要な構成を説明する。
【００２８】
映像信号入力部１０１は、ＨＤＲ映像再生・編集装置２００からＨＤＭＩ（登録商標）２．０ａケーブルでリファレンスディスプレイ１００に入力されたＨＤＲ映像信号を内部の映像処理タイミングに載せ替える。
【００２９】
入力されたＨＤＲ映像信号にはＨＤＲ１０で規定されているメタデータが含まれており、映像メタデータ抽出部１０２は、このメタデータをＨＤＲ映像信号から抽出する。
【００３０】
映像処理部１０３はメタデータ以外のＨＤＲ映像信号を高画質化処理し、高画質化処理後のＨＤＲ映像はＬＣＤモジュール１０４で表示される。
【００３１】
表示モード設定部１０５は映像制作者（ユーザー）の操作に基づき設定された、ＨＤＲ映像を表示し確認する際のＭａｘＣＬＬ，ＭａｘＦＡＬＬ、表示モードを受け付ける。
【００３２】
ここで、映像制作者の操作に基づき設定される表示モードについて説明する。
【００３３】
図３は映像制作者がリファレンスディスプレイ１００に設定することが可能なＨＤＲ映像の表示モードの一例である圧縮モードとクリップモードを説明した図である。
【００３４】
圧縮モードはＨＤＲ映像の表示輝度範囲全体をリファレンスディスプレイ１００に設定した表示輝度範囲に収まるように輝度を圧縮して表示するモードである。このモードは、ＨＤＲ映像の表示輝度範囲の全体をリファレンスディスプレイ１００にユーザーが設定した表示輝度範囲で表示するモードである。例えばＨＤＲ映像が１０，０００［ｎｉｔ］〜０．００１［ｎｉｔ］の表示輝度範囲を持つ場合、例えば４００［ｎｉｔ］〜０．０１［ｎｉｔ］で表示するモードである。
【００３５】
クリップモードはＨＤＲ映像の表示輝度範囲の一部を切り出して、リファレンスディスプレイ１００の表示輝度範囲に収まるように圧縮して表示するモードである。このモードは、ＨＤＲ映像の表示輝度範囲を切り出して、リファレンスディスプレイ１００にユーザーが設定した表示輝度範囲で表示するモードである。例えばＨＤＲ映像が１００００［ｎｉｔ］〜０．００１［ｎｉｔ］の表示輝度範囲を持ち、かつユーザーが４００［ｎｉｔ］〜０．０１［ｎｉｔ］の表示輝度範囲を設定した場合以下のようになる。すなわち、ＨＤＲ映像の１０，０００［ｎｉｔ］〜１，０００［ｎｉｔ］の表示輝度範囲を切り出し４００［ｎｉｔ］〜０．０１［ｎｉｔ］で表示する。この時、切り出した範囲外の輝度である１，０００［ｎｉｔ］以下の表示輝度情報はすべて０にクリップされて表示される。
【００３６】
ここから図２リファレンスディスプレイ１００の構成の説明に戻る。
【００３７】
ＨＰＤ部１０６は、ＨＤＭＩ（登録商標）２．０ａで接続されたＨＤＲ映像再生・編集装置２００に対して、接続を検知した接続検知信号を送信する。またＨＰＤ部１０６は、ＨＤＲ性能情報生成部１１０からのＥＤＩＤ変更通知により、ＨＰＤ信号を制御する。これにより、ＨＤＲ映像再生・編集装置２００はＨＤＭＩ（登録商標）ケーブルの挿抜なしで、変更後のリファレンスディスプレイ１００の性能情報を読み出すことができる。
【００３８】
ＤＤＣ（Ｄｉｓｐｌａｙ  Ｄａｔａ  Ｃｈａｎｎｅｌ）部１０７は、ＨＤＭＩ（登録商標）２．０ａで接続されたＨＤＲ映像再生・編集装置２００からの性能情報要求を受け、ＥＤＩＤ部１０８からリファレンスディスプレイ１００の性能情報を読み出す。そしてＨＤＲ映像再生・編集装置２００に送信する。
【００３９】
ＥＤＩＤ部１０８はリファレンスディスプレイ１００の性能情報を保持している不揮発メモリである。
【００４０】
ＨＤＲ性能情報判定部１０９は映像メタデータ抽出部１０２で抽出したメタデータのＭａｘＣＬＬ，ＭａｘＦＡＬＬとＥＤＩＤ部１０８に保持されたＭａｘＣＬＬ，ＭａｘＦＡＬＬを参照する。これらの情報に基づき、表示モード設定部１０５で設定された映像制作者が意図するＭａｘＣＬＬ，ＭａｘＦＡＬＬを実現可能か判定する。
【００４１】
ＨＤＲ性能情報生成部１１０は、ＨＤＲ性能情報判定部１０９の判定結果に基づいてＭａｘＣＬＬ，ＭａｘＦＡＬＬを生成し、ＥＤＩＤ部１０８に保持しているＭａｘＣＬＬ，ＭａｘＦＡＬＬを書き換える。
【００４２】
映像パラメータ生成部１１１は、映像制作者が設定した表示モードとＨＤＲ性能情報生成部１１０で生成したＭａｘＣＬＬ，ＭａｘＦＡＬＬを用いて、映像処理部１０３に設定する映像設定値とＢＬ処理部１１２に設定するＢＬ設定値を生成する。
【００４３】
ＢＬ処理部１１２はＢＬ設定値に基づいてＬＣＤモジュール１０４のバックライトを制御し、映像制作者が意図する輝度を実現する。
【００４４】
図４は本実施形態の映像表示システムの動作を示すフローチャートの一例である。
【００４５】
映像制作者がリファレンスディスプレイ１００の表示モードを変更し、所望のＨＤＲ映像を表示して、ＨＤＲ１０のメタデータであるＭａｘＣＬＬ，ＭａｘＦＡＬＬを調整するまでのフローを示している。
【００４６】
ＨＤＲ映像再生・編集装置２００がＨＤＲ映像コンテンツを出力（Ｓ４０１）し、リファレンスディスプレイ１００はその映像を映像信号入力部１０１で受信し、ＬＣＤモジュール１０４で表示している（Ｓ４０２）。
【００４７】
この時、映像制作者が表示モード変更をリファレンスディスプレイ１００の表示モード設定部１０５に対して行う（Ｓ４０３）。本実施例で映像制作者が設定する表示モードは、意図するＭａｘＣＬＬ，ＭａｘＦＡＬＬの値及びＨＤＲ映像の圧縮モード又はクリップモードである。
【００４８】
ＨＤＲ性能情報判定部１０９は、あらかじめＥＤＩＤ部１０８に保持しているリファレンスディスプレイ１００の性能情報からＭａｘＣＬＬ，ＭａｘＦＡＬＬを読み出す（Ｓ４０４）。
【００４９】
ＨＤＲ性能情報判定部１０９は読み出したＭａｘＣＬＬ，ＭａｘＦＡＬＬと映像メタデータ抽出部１０２で抽出した入力映像のＭａｘＣＬＬ，ＭａｘＦＡＬＬを比較して、Ｓ４０３で設定された表示モードで表示可能か否かを判定する（Ｓ４０５）。
【００５０】
Ｓ４０３で映像制作者の設定した表示モードが、リファレンスディスプレイ１００のＭａｘＣＬＬ，ＭａｘＦＡＬＬで表示できない場合、表示できるようにＨＤＲ性能情報生成部１１０でＭａｘＣＬＬ，ＭａｘＦＡＬＬを生成する（Ｓ４０６）。なおリファレンスディスプレイ１００のＭａｘＣＬＬ，ＭａｘＦＡＬＬはＥＤＩＤ部１０８にあらかじめ保持されている。
【００５１】
ＨＤＲ性能情報生成部１１０でＭａｘＣＬＬ，ＭａｘＦＡＬを生成する例を示す。ただし、これらの例は一例であり、本発明の趣旨を逸脱しない方法であればよい。
【００５２】
一つの例は、ＨＤＲ映像コンテンツの持つ輝度範囲の一部を切出して表示するクリップモードを映像制作者が設定した場合である。この場合、映像制作者の設定したＭａｘＣＬＬ値はそのまま性能情報のＭａｘＣＬＬに設定される。また、映像制作者の設定したＭａｘＣＬＬ値がリファレンスディスプレイ１００の表示性能以上の場合は性能限界値が性能情報のＭａｘＣＬＬに設定される。この時、性能情報のＭａｘＦＡＬＬは映像制作者の設定したクリップモードの輝度範囲を平均した値で設定する。
【００５３】
もう一つの例は、ＨＤＲ映像コンテンツの持つ輝度範囲全体を圧縮して表示する圧縮モードを映像制作者が設定した場合である。この場合、映像制作者がＨＤＲ映像コンテンツの持つ輝度範囲全体をどの範囲の輝度に圧縮するかを設定する。性能情報のＭａｘＣＬＬは映像制作者が設定した輝度範囲全体を圧縮する範囲の値の最大値が設定される。性能情報のＭａｘＦＡＬＬは圧縮した輝度範囲の平均値が設定される。
【００５４】
ＥＤＩＤ部１０８に保持されているリファレンスディスプレイ１００の性能情報は、ＨＤＲ性能情報生成部１１０で生成したＭａｘＣＬＬ，ＭａｘＦＡＬＬに書き換えられる（Ｓ４０７）。この時書かれるＭａｘＣＬＬ，ＭａｘＦＡＬＬは、ＥＤＩＤ部１０８があらかじめ保持しているリファレンスディスプレイ１００の性能情報と同じ領域に上書きされてもよいし、別の領域に保持してもよい。
【００５５】
ＥＤＩＤ部１０８の性能情報が書き換えられると、ＨＰＤ部１０６はＨＤＲ性能情報生成部１１０で生成されたＥＤＩＤ変更通知で、ＨＤＭＩ（登録商標）のＨＤＰ信号を制御する。このＨＰＤ信号の制御により、リファレンスディスプレイ１００とＨＤＲ映像再生・編集装置２００の間のＨＤＭＩ（登録商標）ケーブルは疑似的に挿抜したようになる（Ｓ４０８）。
【００５６】
ＨＰＤ信号の制御でＨＤＲ映像再生・編集装置２００は、ＨＤＭＩ（登録商標）の再接続を認識し（Ｓ４０９）、リファレンスディスプレイ１００に対してＥＤＩＤ要求を行う（Ｓ４１０）。
【００５７】
リファレンスディスプレイ１００は、ＨＤＲ映像再生・編集装置２００からのＥＤＩＤ要求をＤＤＣ部１０７で受信し、Ｓ４０７で書き換えたＭａｘＣＬＬ，ＭａｘＦＡＬＬを含む表示性能情報をＤＤＣ部１０７から応答する（Ｓ４１１）。
【００５８】
ＨＤＲ映像再生・編集装置２００は、リファレンスディスプレイ１００からの表示性能情報に基づいてＨＤＲ映像を再生し（Ｓ４１２）、映像信号をリファレンスディスプレイ１００に出力する（Ｓ４１３）。
【００５９】
リファレンスディスプレイ１００は、受信したＨＤＲ映像信号を映像制作者の設定した表示モードから映像パラメータ生成部１１１で生成した映像パラメータで処理し（Ｓ４１４）、表示する（Ｓ４１５）。
【００６０】
映像制作者は、Ｓ４１５で表示された映像を見ながら、ＨＤＲ映像再生・編集装置２００で映像のトーンマップ調整やメタデータの変更を行う（Ｓ４１６）。
【００６１】
以上の処理フローにより、映像表示装置は、映像制作者が映像表示装置のＨＤＲ表示モードを設定、変更すれば、様々なＨＤＲ表示モードに対応したＨＤＲ映像を表示できるようになる。そのため、映像制作者は、映像表示装置の取り換えなしで、なおかつ、ＨＤＭＩ（登録商標）ケーブルの挿抜もなしで、様々なＨＤＲ映像の確認をすることが容易になり、映像確認の作業効率を向上することができる。
【００６２】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【図１】
2018141936.tif 000003
【図２】
2018141936.tif 000004
【図３】
2018141936.tif 000005
【図４】
2018141936.tif 000006